(57)【要約】【課題】簡易な構成で、ファンから吹き出された空気の進行方向を切り替えることができる送風装置を提供する。【解決手段】本発明に係る送風装置１は、ファン１６と、風向板部２０と、支持部５０とを備える。ファン１６は、吸い込んだ空気を、吸い込んだ側と異なる側に吹き出す。風向板部２０は、ファン１６から吹き出された空気の進行方向を調整することが可能である。支持部５０は、風向板部２０を支持する。風向板部２０は、ファン１６の外周に沿って配置されている。【選択図】図２
2020180597.tif 000002
【特許請求の範囲】
【請求項１】
吸い込んだ空気を、吸い込んだ側と異なる側に吹き出すファンと、
前記ファンから吹き出された前記空気の進行方向を調整することが可能な風向板部と、
前記風向板部を支持する支持部と
を備え、
前記風向板部は、前記ファンの外周に沿って配置されている、送風装置。
【請求項２】
前記ファンは、前後方向に沿って回転軸線が延びており、斜め前方に前記空気を吹き出す斜流ファンであり、
前記風向板部の後端は、前記支持部の前端に取り付けられ、
前記風向板部の前端は、前記回転軸線から離れる側に可動する、請求項１に記載の送風装置。
【請求項３】
前記風向板部の前端は、前記回転軸線に近づく側に可動する、請求項２に記載の送風装置。
【請求項４】
前記風向板部は、複数の風向板を有し、
前記複数の風向板は、前記回転軸線の周方向に沿って配列され、
前記複数の風向板は、個別に可動する、請求項２又は請求項３に記載の送風装置。
【請求項５】
前記複数の風向板の各々は前記回転軸線に沿っている第１姿勢をとる、請求項４に記載の送風装置。
【請求項６】
前記複数の風向板の各々の前端が前記回転軸線から離れる側に、前記複数の風向板の各々の前端が位置する第２姿勢をとる、請求項４に記載の送風装置。
【請求項７】
前記複数の風向板のうち、少なくとも１個の風向板の前端が前記回転軸線に近づく側に、前記複数の風向板の各々の前端が位置する第３姿勢をとる、請求項４に記載の送風装置。
【請求項８】
前記ファンの回転軸線は、水平方向又は鉛直方向に沿っている、請求項１から請求項７のいずれか１項に記載の送風装置。
【発明の詳細な説明】
【技術分野】
【０００１】
本発明は、送風装置に関する。
【背景技術】
【０００２】
特許文献１に記載の送風装置は、ファンモータと、回転ボスと、軸流型の羽根部と、斜流型の羽根部と、開閉手段とを備える。回転ボスは、ファンモータの回転軸に取り付けられる。軸流型の羽根部は、回転ボスを中心として、複数の翼を放射状に設けてなる。斜流型の羽根部は、回転ボスを中心として、複数の翼を放射状に設けてなる。斜流型の羽根部の直径は、軸流型の羽根部の直径よりも小さい。開閉手段は、斜流型の羽根部の吸気口を開閉する。開閉手段が吸気口を閉めることで、直進性のある風を送風する。一方、開閉手段が吸気口を開けることで、広がりのある風を送風する。
【先行技術文献】
【特許文献】
【０００３】
【特許文献１】特開２０１７−１８０４７０号公報
【発明の概要】
【発明が解決しようとする課題】
【０００４】
特許文献１に記載の送風装置は、直進性のある風と広がりのある風とを切り替えるように、送風される空気の進行方向を切り替えることができる。しかしながら、特許文献１に記載の送風装置では、軸流型の羽根部と斜流型の羽根部との２種類の羽根部を必要とするため、送風装置の構成が複雑になった。
【０００５】
本発明は、簡易な構成で、ファンから吹き出された空気の進行方向を切り替えることができる送風装置を提供することを目的とする。
【課題を解決するための手段】
【０００６】
本願の第１局面によれば、送風装置は、ファンと、風向板部と、支持部とを備える。前記ファンは、吸い込んだ空気を、吸い込んだ側と異なる側に吹き出す。前記風向板部は、前記ファンから吹き出された前記空気の進行方向を調整することが可能である。前記支持部は、前記風向板部を支持する。前記風向板部は、前記ファンの外周に沿って配置されている。
【発明の効果】
【０００７】
本発明の送風装置によれば、簡易な構成で、ファンから吹き出された空気の進行方向を切り替えることができる。
【図面の簡単な説明】
【０００８】
【図１】本発明の第１実施形態に係る扇風機の一例を示す斜視図である。
【図２】第１実施形態に係る送風部の一例を示す断面図である。
【図３】第１実施形態に係る送風部の他の一例を示す斜視図である。
【図４】第１実施形態に係る送風部の他の一例を示す断面図である。
【図５】第１実施形態に係る送風部の更に他の一例を示す斜視図である。
【図６】第２実施形態に係る天井送風装置の一例を示す斜視図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１を参照して、本発明の第１実施形態に係る扇風機の構成について説明する。図１は、第１実施形態に係る扇風機の一例を示す斜視図である。また、第１実施形態では、図中に、互いに直交するＸ軸、Ｙ軸及びＺ軸を示す。Ｚ軸は鉛直方向に平行であり、Ｘ軸及びＹ軸は水平方向に平行である。更に、第１実施形態では、Ｘ軸の正方向は、扇風機１の前面側を示す。扇風機１の斜流ファンの回転軸線ＡＸは、Ｘ軸に沿っている。
【００１１】
図１に示すように、扇風機１は、ベース２と、支柱３と、送風部４と、風向板部２０とを備える。扇風機１は、送風装置の一例である。
【００１２】
ベース２は、床面に載置される。ベース２の外形は、例えば、平面視でほぼ円形をなす扁平状を有する。そして、ベース２の前方上面には、例えば、キー、ボタン及び操作パネルが設けられる。
【００１３】
支柱３は、ベース２から上方に延びる。支柱３は、送風部４を昇降させる。具体的には、支柱３は、筒状の支柱基部１１と、柱状の摺動杆１２と、ロック釦とを有する。支柱基部１１は、ベース２の後方上面から垂直に延びる。摺動杆１２は、送風部４を支持する。摺動杆１２は、支柱基部１１の内側に上下摺動自在に組み付けられる。ロック釦は、支柱基部１１の上部後方に設けられる。そして、ロック釦を、弾性体の付勢力に抗して押動することにより、支柱基部１１と摺動杆１２との係合が解除される。その結果、摺動杆１２が、支柱基部１１に対して上下に摺動する。
【００１４】
続けて、送風部４について説明する。図２は、第１実施形態に係る送風部４の一例を示す断面図である。図２に示すように、送風部４は、駆動部カバー１９と、ＤＣ（直流）ファンモータ１５と、斜流ファン１６と、ガード５０とを備える。斜流ファン１６は、ファンの一例である。ガード５０は、支持部の一例である。
【００１５】
ＤＣファンモータ１５は、前側を開口した駆動部カバー１９により覆われている。なお、本明細書において、「前」は、斜流ファン１６の回転軸線ＡＸに沿った方向における、ファンモータ１５の位置から斜流ファン１６の位置に向かう方向を示す。また、「後」は、斜流ファン１６の回転軸線ＡＸに沿った方向における、斜流ファン１６の位置からファンモータ１５の位置に向かう方向を示す。
【００１６】
斜流ファン１６は、吸い込んだ空気を、吸い込んだ側と異なる側に吹き出す。斜流ファン１６は、前後方向に回転軸線ＡＸが沿って延びており、斜め前方に空気を吹き出す。具体的には、ＤＣファンモータ１５の駆動により斜流ファン１６が回転し、斜流ファン１６は、斜め後方から吸い込んだ空気を、斜め前方に吹き出す。
【００１７】
斜流ファン１６は、例えば、回転ボス１７と、斜流型の羽根部１８とを有する。羽根部１８は、回転ボス１７を中心に放射状に配置される複数の羽根を有する。複数の羽根の各々は、互いに同一形状をなす。
【００１８】
回転ボス１７の中央には、ＤＣファンモータ１５の前方に突出した回転軸が取付けられる。その結果、斜流ファン１６は、ＤＣファンモータ１５によって回転駆動される。
【００１９】
ガード５０は、例えば、斜流ファン１６を覆う網状体である。ガード５０は、例えば、円環形の基部５１と、中空円筒形の周縁部５２と、円形のカバー板３１とを有する。
【００２０】
基部５１は、斜流ファン１６の後面に対向する。そして、基部５１の内周端は、駆動部カバー１９の前端に取付けられる。
【００２１】
周縁部５２は、基部５１の外周端から前方に延びており、斜流ファン１６の外周部に対向する。周縁部５２は、例えば、円筒形の連結部５２ａと、複数の骨部５２ｂと有する。複数の骨部５２ｂの各々は、直線状に設けられ、前後方向に沿っている。複数の骨部５２ｂは、互いに間隔を有して配置される。複数の骨部５２ｂの一端の各々は、連結部５２ａと連結され、複数の骨部５２ｂの他端の各々は、基部５１と連結される。
【００２２】
カバー板３１は、斜流ファン１６の前面に対向する。そして、カバー板３１は、連結部５２ａに取付けられる。
【００２３】
続けて、風向板部２０について説明する。風向板部２０は、斜流ファン１６の外周に沿って配置されている。風向板部２０は、ガード５０に支持される。具体的には、風向板部２０の後端は、連結部５２ａの前端に取り付けられる。
【００２４】
風向板部２０は、複数の風向板を有する。例えば、風向板部２０は、第１風向板２１と、第２風向板２２と、第３風向板２３と、第４風向板２４とを有する。第１風向板２１と第２風向板２２と第３風向板２３と第４風向板２４との各々は、曲面を有する板状体である。そして、第１風向板２１と第２風向板２２と第３風向板２３と第４風向板２４とは、回転軸線ＡＸの周方向に沿って配列される。
【００２５】
扇風機１は、第１姿勢をとる。詳細には、第１姿勢では、第１風向板２１と第２風向板２２と第３風向板２３と第４風向板２４との各々が、回転軸線ＡＸに沿っている。
【００２６】
風向板部２０は、斜流ファン１６から吹き出された空気の進行方向を調整することが可能である。ここで、図２を参照して、扇風機１から吹き出される空気の流れについて説明する。第１風路Ｆ１及び第２風路Ｆ２の各々は、空気の流れを示す。第１風路Ｆ１は、扇風機１に吸い込まれる空気の流れを示す。第２風路Ｆ２は、扇風機１から吹き出される空気の流れを示す。
【００２７】
図２に示すように、斜流ファン１６の斜め後方の空気は、第１風路Ｆ１に沿って流れた後、ガード５０を経て斜流ファン１６に吸い込まれる。斜流ファン１６に吸い込まれた空気は、斜流ファン１６によって、斜流ファン１６の斜め前方に吹き出される。斜流ファン１６から斜め前方に吹き出された空気は、風向板部２０に当たる。その結果、風向板部２０によって、空気の進行方向が第２風路Ｆ２に変えられる。よって、直進性のある風が送風される。
【００２８】
また、第１風向板２１と第２風向板２２と第３風向板２３と第４風向板２４とは、個別に可動する。詳細には、第１風向板２１の後端は、例えば、第１ヒンジを介して連結部５２ａの前端に取り付けられる。その結果、使用者は、第１風向板２１の後端を回転軸として、第１風向板２１の前端を移動させることができる。また、第２風向板２２の後端は、例えば、第２ヒンジを介して連結部５２ａの前端に取り付けられる。第３風向板２３の後端は、例えば、第３ヒンジを介して連結部５２ａの前端に取り付けられる。第４風向板２４の後端は、例えば、第４ヒンジを介して連結部５２ａの前端に取り付けられる。
【００２９】
具体的には、風向板部２０の前端は、回転軸線ＡＸから離れる側に可動する。図３は、送風部４の他の一例を示す斜視図である。図４は、送風部４の他の一例を示す断面図である。第１風路Ｆ１及び第３風路Ｆ３の各々は、空気の流れを示す。第１風路Ｆ１は、扇風機１に吸い込まれる空気の流れを示す。第３風路Ｆ３は、扇風機１から吹き出される空気の流れを示す。
【００３０】
図３及び図４に示すように、扇風機１は、第２姿勢をとる。詳細には、第２姿勢では、第１風向板２１と第２風向板２２と第３風向板２３と第４風向板２４との各々の前端が、回転軸線ＡＸから離れる側に、第１風向板２１と第２風向板２２と第３風向板２３と第４風向板２４との各々の前端が位置する。
【００３１】
図４に示すように、斜流ファン１６の斜め後方の空気は、第１風路Ｆ１に沿って流れた後、ガード５０を経て斜流ファン１６に吸い込まれる。斜流ファン１６に吸い込まれた空気は、斜流ファン１６によって、斜流ファン１６の斜め前方に吹き出される。斜流ファン１６から斜め前方に吹き出された空気は、風向板部２０に沿う。その結果、空気の進行方向が第３風路Ｆ３に沿う。よって、広がりのある風が送風される。
【００３２】
従って、第１実施形態によれば、風向板部２０の姿勢を変えることにより、斜流ファン１６から吹き出された空気の進行方向が切り替えられる。その結果、簡易な構成で、斜流ファン１６から吹き出された空気の進行方向を切り替えることができる。
【００３３】
更に、軸流ファンから吹き出される風が障害物によって受ける圧損と比較して、斜流ファン１６から吹き出される風が障害物によって受ける圧損は、小さい。その結果、斜流ファン１６を備えているため、風量を弱くせず、広がりのある風を直進性のある風に切り替えることができる。
【００３４】
更に、風向板部２０の前端は、回転軸線ＡＸに近づく側に可動する。図５は、送風部４の更に他の一例を示す斜視図である。図５に示すように、扇風機１は、第３姿勢をとる。詳細には、第３姿勢では、第１風向板２１と第２風向板２２と第３風向板２３と第４風向板２４とのうち、少なくとも１個の風向板の前端が、回転軸線ＡＸに対して近づく側に、第１風向板２１と第２風向板２２と第３風向板２３と第４風向板２４との各々の前端が位置する。
【００３５】
例えば、第２風向板２２と第４風向板２４との各々の前端とは、カバー板３１の外周部に当接している。また、第１風向板２１と第３風向板２３との各々の前端が、回転軸線ＡＸから離れる側に位置する。
【００３６】
よって、斜流ファン１６の斜め後方の空気は、ガード５０を経て斜流ファン１６に吸い込まれる。斜流ファン１６に吸い込まれた空気は、斜流ファン１６によって、斜流ファン１６の斜め前方に吹き出される。斜流ファン１６から斜め前方に吹き出された空気は、第２風向板２２と第４風向板２４とに当たる。その結果、風向板部２０によって、空気の進行方向が変えられる。一方、斜流ファン１６から斜め前方に吹き出された空気は、第１風向板２１と第３風向板２３とに沿う。よって、横方向に広がりのある風が、強い風量で送風される。
【００３７】
従って、第１実施形態によれば、風向板の前端が回転軸線ＡＸに近づく側に位置して、吹出口の一部を封鎖することができるため、一の場所に風を送風せずに、他の場所に風を強い風量で送風できる。
【００３８】
［第２実施形態］
次に、図６を参照して、第２実施形態に係る天井送風装置１００について説明する。図６は、天井送風装置１００の一例を示す斜視図である。また、第２実施形態では、図中に、互いに直交するＸ軸、Ｙ軸及びＺ軸を示す。Ｚ軸は鉛直方向に平行であり、Ｘ軸及びＹ軸は水平方向に平行である。更に、第２実施形態では、Ｚ軸の負方向は、天井送風装置１００の前面側を示す。天井送風装置１００の斜流ファン１１６の回転軸線ＡＸは、鉛直方向に沿っている。
【００３９】
第１実施形態に係る扇風機１では、斜流ファン１６の回転軸線ＡＸは、Ｘ軸に沿っているのに対して、第２実施形態に係る天井送風装置１００では、斜流ファン１１６の回転軸線ＡＸは、Ｚ軸に沿っている点で相違している。以下では、主に、第１実施形態と異なる点を説明する。
【００４０】
図６に示すように、天井送風装置１００は、送風部１０４と、風向板部１２０とを備える。天井送風装置１００は、送風装置の一例である。
【００４１】
送風部１０４は、ＤＣ（直流）ファンモータと、斜流ファン１１６と、ガード１５０とを備える。斜流ファン１１６は、ファンの一例である。ガード１５０は、支持部の一例である。
【００４２】
斜流ファン１１６は、上下方向に回転軸線ＡＸが沿って延びており、斜め下方に空気を吹き出す。具体的には、ＤＣファンモータの駆動により斜流ファン１１６が回転し、斜流ファン１１６は、側方から吸い込んだ空気を、斜め下方に吹き出す。
【００４３】
ガード１５０は、例えば、斜流ファン１１６を覆う四角筒形の網状体を有する。
【００４４】
続けて、風向板部１２０について説明する。風向板部１２０の上端は、ガード１５０の下端に取り付けられる。例えば、風向板部１２０は、第１風向板１２１と、第２風向板１２２と、第３風向板１２３と、第４風向板１２４とを有する。第１風向板１２１と第２風向板１２２と第３風向板１２３と第４風向板１２４との各々は、台形状の板状体である。
【００４５】
風向板部１２０は、斜流ファン１６から吹き出された空気の進行方向を調整することが可能である。具体的には、第１風向板１２１と第２風向板１２２と第３風向板１２３と第４風向板１２４とは、個別に可動する。詳細には、第１風向板１２１と第２風向板１２２と第３風向板１２３と第４風向板１２４との各々の上端は、例えば、ヒンジを介してガード１５０の下端に取り付けられる。
【００４６】
ここで、図６を参照して、天井送風装置１００から吹き出される空気の流れについて説明する。第４風路Ｆ４及び第５風路Ｆ５の各々は、空気の流れを示す。第４風路Ｆ４は、天井送風装置１００に吸い込まれる空気の流れを示す。第５風路Ｆ５は、天井送風装置１００から吹き出される空気の流れを示す。
【００４７】
第２実施形態によれば、風向板部１２０の姿勢を変えることにより、斜流ファン１１６から吹き出された空気の進行方向が切り替えられる。その結果、簡易な構成で、斜流ファン１１６から吹き出された空気の進行方向を切り替えることができる。
【００４８】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００４９】
第１実施形態において、斜流ファン１６を備えたが、本発明はこれに限定されない。シロッコファン、ターボファン又はプロペラファンを備えてもよい。シロッコファンは、後方から吸い込んだ空気を、側方に吹き出す。ターボファンは、後方から吸い込んだ空気を、側方に吹き出す。プロペラファンは、後方から吸い込んだ空気を、前方に吹き出す。本実施形態によれば、風向板部の姿勢を変えることにより、シロッコファン、ターボファン又はプロペラファンから吹き出された空気の進行方向が切り替えられる。その結果、簡易な構成で、シロッコファン、ターボファン又はロペラファンから吹き出された空気の進行方向を切り替えることができる。
【産業上の利用可能性】
【００５０】
本発明は、送風装置の分野に利用可能である。
【符号の説明】
【００５１】
１    扇風機
１６    斜流ファン
２０    風向板部
２１    第１風向板
２２    第２風向板
２３    第３風向板
２４    第４風向板
５０    ガード
１００    天井送風装置
ＡＸ    回転軸線
【図１】
2020180597.tif 000003
【図２】
2020180597.tif 000004
【図３】
2020180597.tif 000005
【図４】
2020180597.tif 000006
【図５】
2020180597.tif 000007
【図６】
2020180597.tif 000008